(57)【要約】 【課題】      床マットの雄連結部および雌連結部のいずれにも係合可能な共用連結部を有する端縁材を提供する。【解決手段】  スロープ材１０の単位床マット１に連結される側縁部には共用連結部１６が形成されている。この共用連結部１６は前記雄連結部４及び雌連結部５のいずれとも係合可能な形状になっている。共用連結部１６の具体的な形状は、前記雌連結部５の外周部にその内面が係合するフック部１６ａと、このフック部１６ａの内側部に形成され前記雄連結部４が係合する凹部１６ｂとからなる。【選択図】      図４
2007204948.tif 000002
【特許請求の範囲】
【請求項１】
雄連結部を一側縁に備えこの雄連結部と連結可能な形状の雌連結部を前記とは異なる側縁に備えた単位床マットに、連結される端縁材であって、この端縁材に設けられる共用連結部の形状は、前記単位床マットの雄連結部及び雌連結部のいずれにも係合可能な形状であることを特徴とする端縁材。
【請求項２】
請求項１に記載の端縁材において、前記共用連結部が形成された側面には、連結する際に単位床マットの雌連結部の進入を可能とした下方に開放された切欠が前記共用連結部よりも上方位置に形成されていることを特徴とする端縁材。
【請求項３】
請求項１または請求項２に記載の端縁材において、前記共用連結部は前記雌連結部の外側面と係合するフック形状をなし、その一部には前記雄連結部が係合する孔または凹部が形成されていることを特徴とする端縁材。
【請求項４】
請求項１乃至請求項３の何れかに記載の端縁材において、この端縁材は単位床マットと床面との段差をなくすスロープ材であることを特徴とする端縁材。
【発明の詳細な説明】
【技術分野】
【０００１】
本発明は床マットの側縁に連結されるスロープ材や幅調整材などの端縁材に関する。
【背景技術】
【０００２】
バルコニー、ベランダ或いはテラスなどの表面をコンクリートの剥き出しにしておくと見栄えが悪いため、従来から床マット（建材マット）を敷設することが行われている。この床マットには特許文献１〜５に示すものが挙げられる。
【０００３】
いずれの特許文献に示される床マットも、通常正方形をなす複数の単位床マットを連結して構成することで、施設する床面の大きさ及び形状に対応できるようにしている。そのため、各単位床マットは隣接する単位床マットとワンタッチで連結できるように、例えばピン形状をした雄連結部とこの雄連結部と係合するリング状をなす雌連結部を１つの単位床マットに設けている。
【０００４】
例えば、単位床マットの対向する２辺または隣接する２辺に沿って雄連結部が形成され、残りの２辺に沿って雌連結部が形成され、雌連結部については単位床マットの辺から外側に突出するように設けられている。
【０００５】
上記の単位床マットを連結した床マットの側縁においては、床面と床マットとの間に段差が生じたり、壁面などとの間に隙間が生じることがある。上記の段差を解消するのが、特許文献１〜３に開示されるスロープ材であり、隙間を解消するのが特許文献４に開示される幅調整材である。
【０００６】
【特許文献１】特開平１０−２５２２４５号公報
【特許文献２】特開２０００−３２８７６４号公報
【特許文献３】実開平０７−０１０１９１号公報
【特許文献４】特開２００４−２７８２８４号公報
【特許文献５】特開２００５−０９８１０９号公報
【発明の開示】
【発明が解決しようとする課題】
【０００７】
上記したスロープ材や幅調整材などの端縁材は、単位床マットに設けた雄連結部または雌連結部のいずれか一方と連結する連結部を備えているが、雄連結部または雌連結部の一方のみにしか連結させることができない。その結果、スロープ材や幅調整材を購入しても、間違った方を購入すると床マットに連結できないことになる。
【０００８】
このように、従来のスロープ材や幅調整材などの端縁材は、特定の連結部を有しているサイドにしか連結させることができず、商品の汎用性に欠けている。
【課題を解決するための手段】
【０００９】
上記の課題を解決するため本発明は、端縁材に設ける単位床マットとの連結部を、単位床マットの雄連結部及び雌連結部のいずれとも連結可能な形状をした共用連結部とした。
【００１０】
前記共用連結部が形成された側面には、連結する際に単位床マットの雌連結部の進入を可能とした下方に開放された切欠が、前記共用連結部よりも上方位置に形成されていることが好ましい。
【００１１】
前記共用連結部の形状としては、雌連結部の外側面と係合するフック形状をなし、その一部には前記雄連結部が係合する孔または凹部が形成された形状が考えられる。
【発明の効果】
【００１２】
本発明に係る端縁材は、床マットの雄連結部および雌連結部のいずれにも係合可能な共用連結部を備えているため、連結する際に、一々端縁材の連結部が床マットの連結部に係合可能か否かを確認する必要がなく、作業性が向上する。
また、消費者も端縁材のみを購入する際に、床マットの雄連結部または雌連結部のいずれに係合するかを気にする必要がなく、無駄に購入することがなくなる。
【発明を実施するための最良の形態】
【００１３】
以下に本発明の実施の一例を添付図面に基づいて説明する。図１は本発明に係る端縁材を単位床マットの周囲に連結した状態を示す斜視図、図２は単位床マットの斜視図、図３（ａ）及び（ｂ）は雄連結部と雌連結部の位置を示す単位床マットの裏面図、図４は本発明に係る端縁材の斜視図、図５は本発明に係る端縁材の平面図、図６は本発明に係る端縁材の裏面図、図７は本発明に係る端縁材を共用連結部側から見た斜視図、図８は本発明に係る端縁材を共用連結部側から見た側面図である。
【００１４】
単位床マット１は樹脂マット２の上面に複数枚（図示例では９枚）のタイル３を接着剤にて貼り合せて構成される。樹脂マット２の側縁にはピン状をなす雄連結部４と、雄連結部と係合するリング状をなす雌連結部５が形成されている。
【００１５】
雄連結部４と雌連結部５は、図３（ａ）に示すように互いに隣接する側縁に設けるか、（ｂ）に示すように対向する側縁に設ける。そして、単位床マット１の雄連結部４（雌連結部５）を別の単位床マット１の雌連結部５（雄連結部４）に係合することで、複数の単位床マット１からなる床マットが構成される。
【００１６】
前記単位床マット１の各側縁には本発明に係る端縁材としてのスロープ材１０を連結することができる。また、床マットの角ではスロープ材１０同士をコーナ材２０にて連結することができる。尚、図１に示す実施例では１つの単位床マット１を示しているが、通常は複数の単位床マット１を連結した床マットの側縁にスロープ材１０を連結して使用する。
【００１７】
スロープ材１０は表面に滑り止め用の溝１１が形成され、裏面には補強用リブ１２、荷重を受ける円筒部１３、雄連結部１４及び雌連結部１５が一体的に形成されている。雄連結部１４及び雌連結部１５は単位床マット１に形成した雄連結部４及び雌連結部５と同一形状とされている。
【００１８】
また、スロープ材１０の単位床マット１に連結される側縁部には共用連結部１６が形成されている。この共用連結部１６は前記雄連結部４及び雌連結部５のいずれとも係合可能な形状になっている。
【００１９】
前記共用連結部１６の具体的な形状は、前記雌連結部５の外周部にその内面が係合するフック部１６ａと、このフック部１６ａの内側部に形成され前記雄連結部４が係合する凹部１６ｂとからなる。尚、共用連結部１６の形状はこの形状に限定されるものではなく、雄連結部４と雌連結部５のいずれもが係合する形状であればよい。
【００２０】
また、前記共用連結部１６を設けたスロープ材１０の側面で共用連結部１６よりも上方位置には前記雌連結部５が進入可能な切欠１７が形成されている。この切欠１７は下方に開放されている。
【００２１】
以上において、単位床マット１の雄連結部４にスロープ材１０の共用連結部１６を連結するには、図９（ａ）に示すように、床面から単位床マット１の端を斜めに持ち上げ、その下にスロープ材１０をセットする。
【００２２】
この状態から単位床マット１を床面に下ろし、図９（ｂ）に示すように、雄連結部４をスロープ材１０の共用連結部１６の凹部１６ｂに嵌め込む。この状態の拡大図を図９（ｃ）に示す。以上の簡単な作業によって、スロープ材１０は単位床マット１の雄連結部４に連結される。
【００２３】
また単位床マット１の雌連結部５にスロープ材１０の共用連結部１６を連結するには、図１０（ａ）に示すように、床面から単位床マット１の端を斜めに持ち上げる。次いで、図１０（ｂ）に示すように、単位床マット１の雌連結部５をスロープ材１０の切欠１７に差し込む。この状態で、単位床マット１の上面とスロープ材１０の上面とは段差ができている。
【００２４】
次いで、図１０（ｃ）に示すように、単位床マット１とスロープ材１０を床面に下ろす。すると、図１０（ｄ）に示すように、単位床マット１の雌連結部５は共用連結部１６のフック部１６ａに係合する。したがって、前記同様に簡単な作業によって、スロープ材１０は単位床マット１の雌連結部５に連結される。
【００２５】
図１１は本発明に係る端縁材を幅調整材３０とした例を示す斜視図であり、この幅調整材３０は例えば溝１１に沿って切断することで、任意の寸法の幅にすることができる。
【図面の簡単な説明】
【００２６】
【図１】本発明に係る端縁材を単位床マットの周囲に連結した状態を示す斜視図
【図２】単位床マットの斜視図
【図３】（ａ）及び（ｂ）は雄連結部と雌連結部の位置を示す単位床マットの裏面図
【図４】本発明に係る端縁材の斜視図
【図５】本発明に係る端縁材の平面図
【図６】本発明に係る端縁材の裏面図
【図７】本発明に係る端縁材を共用連結部側から見た斜視図
【図８】本発明に係る端縁材を共用連結部側から見た側面図
【図９】（ａ）及び（ｂ）は本発明に係る端縁材を単位床マットの雄連結部に連結する手順を示した図、（ｃ）は本発明に係る端縁材が単位床マットの雄連結部と係合した状態を示す図
【図１０】（ａ）〜（ｃ）は本発明に係る端縁材を単位床マットの雌連結部に連結する手順を示した図、（ｄ）は本発明に係る端縁材が単位床マットの雌連結部と係合した状態を示す図
【図１１】本発明に係る端縁材を幅調整材とした例を示す斜視図
【符号の説明】
【００２７】
１…単位床マット、２…樹脂マット、３…タイル、４…雄連結部、５…雌連結部、１０…スロープ材、１１…滑り止め用の溝、１２…補強用リブ、１３…荷重を受ける円筒部、１４…雄連結部、１５…雌連結部、１６…共用連結部、１６ａ…共用連結部のフック部、１６ｂ…共用連結部の凹部、１７…切欠、２０…コーナ材、３０…幅調整材。
【図１】
2007204948.tif 000003
【図２】
2007204948.tif 000004
【図３】
2007204948.tif 000005
【図４】
2007204948.tif 000006
【図５】
2007204948.tif 000007
【図６】
2007204948.tif 000008
【図７】
2007204948.tif 000009
【図８】
2007204948.tif 000010
【図９】
2007204948.tif 000011
【図１０】
2007204948.tif 000012
【図１１】
2007204948.tif 000013
【手続補正書】
【提出日】平成18年8月8日(2006.8.8)
【手続補正１】
【補正対象書類名】特許請求の範囲
【補正対象項目名】全文
【補正方法】変更
【補正の内容】
【特許請求の範囲】
【請求項１】
雄連結部を一側縁に備えこの雄連結部と連結可能な形状の雌連結部を前記とは異なる側縁に備えた単位床マットに、連結される端線材であって、この端縁材に設けられる共用連結部の形状は、前記単位床マットの雄連結部及び雌連結部のいずれにも係合可能な形状であり、
前記共用連結部は前記雄連結部の外側面と係合するフック形状をなし、
その一部には前記雄連結部が係合する孔または凹部が形成されていることを特徴とする端縁材。
【請求項２】
請求項１に記載の端縁材において、
この端縁材は単位床マットと床面との段差をなくすスロープ材であることを特徴とする端縁材。
【手続補正２】
【補正対象書類名】明細書
【補正対象項目名】００１０
【補正方法】削除
【補正の内容】